(57)【特許請求の範囲】
【請求項１】
動作部が押されたときに接点状態が切り替わるスイッチ部を有する押ボタンスイッチにおいて、
支持部材と、
第１の部分及び第２の部分を有し、上記支持部材により回動可能に支持された梃子部材と、
操作面を有し、上記操作面が指で押されたときに所定方向に並進する操作部材と、
一端が上記操作部材に固定され、他端が上記梃子部材の第１の部分に固定された弾性体よりなるヒンジと
を有し、
上記操作部材を上記所定方向に並進させると、上記梃子部材が回動し、上記梃子部材の第２の部分が上記所定方向と異なる方向に移動して上記スイッチ部の動作部を押して接点状態を切り替えるように構成し、
上記ヒンジを、上記操作部材の上記所定方向に延びる軸線上に配置した
ことを特徴とする押ボタンスイッチ。
【請求項２】
動作部が押されたときに接点状態が切り替わるスイッチ部を有する押ボタンスイッチにおいて、
支持部材と、
第１の部分及び第２の部分を有し、上記支持部材により回動可能に支持された梃子部材と、
操作面を有し、上記操作面が指で押されたときに所定方向に並進する操作部材と、
一端が上記操作部材に固定され、他端が上記梃子部材の第１の部分に固定された弾性体よりなるヒンジと
を有し、
上記操作部材を上記所定方向に並進させると、上記梃子部材が回動し、上記梃子部材の第２の部分が上記所定方向と異なる方向に移動して上記スイッチ部の動作部を押して接点状態を切り替えるように構成し、
上記操作部材の上記所定方向に延びる軸線上の点を、上記梃子部材に当接させ、
上記ヒンジを、上記操作部材の上記軸線上以外の点において上記梃子部材に固定した
ことを特徴とする押ボタンスイッチ。
【請求項３】
動作部が押されたときに接点状態が切り替わるスイッチ部を有する押ボタンスイッチにおいて、
支持部材と、
第１の部分及び第２の部分を有し、上記支持部材により回動可能に支持された梃子部材と、
操作面を有し、上記操作面が指で押されたときに所定方向に並進する操作部材と、
一端が上記操作部材に固定され、他端が上記梃子部材の第１の部分に固定された弾性体よりなるヒンジと、
上記スイッチ部が固定された基板と、
上記支持部材が固定され、上記基板に嵌合する嵌合部材と
を有し、
上記操作部材を上記所定方向に並進させると、上記梃子部材が回動し、上記梃子部材の第２の部分が上記所定方向と異なる方向に移動して上記スイッチ部の動作部を押して接点状態を切り替えるように構成した
ことを特徴とする押ボタンスイッチ。
【請求項４】
動作部が押されたときに接点状態が切り替わるスイッチ部を有する押ボタンスイッチにおいて、
支持部材と、
第１の部分及び第２の部分を有し、上記支持部材により回動可能に支持された梃子部材と、
操作面を有し、上記操作面が指で押されたときに所定方向に並進する操作部材と、
一端が上記操作部材に固定され、他端が上記梃子部材の第１の部分に固定された弾性体よりなるヒンジと
を有し、
上記操作部材を上記所定方向に並進させると、上記梃子部材が回動し、上記梃子部材の第２の部分が上記所定方向と異なる方向に移動して上記スイッチ部の動作部を押して接点状態を切り替えるように構成し、
上記支持部材が、柱部と、該柱部に支持され上記梃子部材を回動可能に支持する支軸とを有する
ことを特徴とする押ボタンスイッチ。
【発明の詳細な説明】
【０００１】
【発明の属する技術分野】
本発明は、押ボタンスイッチの構造に関するものである。
【０００２】
【従来の技術】
図１０は、従来の押ボタンスイッチの構造を概略的に示す図である。図１０に示されるように、従来の押ボタンスイッチにおいては、指でボタン（操作面）２１をＤ11方向に押すと、梃子部材２３が支持部材２２を中心としてＤ12方向に回動して、梃子部材２３に備えられた突起部（力点）２３ａがスイッチ部２４の動作部２４ａを押し、スイッチ部２４の接点状態が切り替わる。
【０００３】
【発明が解決しようとする課題】
しかしながら、上記した従来の押ボタンスイッチにおいては、円弧状の矢印Ｄ12で示すように、ボタン２１が支持部材２２を中心として回動するため、ボタン２１がこれを囲う筐体２５の孔２５ａの内面に当たり、操作性が悪くなることがあるという問題があった。
【０００４】
また、支持部材２２からスイッチ部２４までの距離が長い場合にはボタン２１を押す力（操作力）を強くする必要があり、ボタン２１と支持部材２２との距離が長い場合にはボタン２１のストロークが大きくなり過ぎるので、操作性を良好にするためには、ボタン２１とスイッチ部２４との距離をあまり大きくすることができない（即ち、設計上の制約がある）という問題があった。
【０００５】
そこで、本発明は、上記したような従来技術の課題を解決するためになされたものであり、その目的とするところは、操作面とスイッチ部との距離にかかわらず操作性の良好な押ボタンスイッチを提供することにある。
【０００６】
【課題を解決するための手段】
請求項１に係る押ボタンスイッチは、動作部が押されたときに接点状態が切り替わるスイッチ部を有するものであって、支持部材と、第１の部分及び第２の部分を有し、上記支持部材により回動可能に支持された梃子部材と、操作面を有し、上記操作面が指で押されたときに所定方向に並進する操作部材と、一端が上記操作部材に固定され、他端が上記梃子部材の第１の部分に固定された弾性体よりなるヒンジとを有し、上記操作部材を上記所定方向に並進させると、上記梃子部材が回動し、上記梃子部材の第２の部分が上記所定方向と異なる方向に移動して上記スイッチ部の動作部を押して接点状態を切り替えるように構成し、上記ヒンジを、上記操作部材の上記所定方向に延びる軸線上に配置したことを特徴としている。
【００１０】
請求項２に係る押ボタンスイッチは、動作部が押されたときに接点状態が切り替わるスイッチ部を有する押ボタンスイッチであって、支持部材と、第１の部分及び第２の部分を有し、上記支持部材により回動可能に支持された梃子部材と、操作面を有し、上記操作面が指で押されたときに所定方向に並進する操作部材と、一端が上記操作部材に固定され、他端が上記梃子部材の第１の部分に固定された弾性体よりなるヒンジとを有し、上記操作部材を上記所定方向に並進させると、上記梃子部材が回動し、上記梃子部材の第２の部分が上記所定方向と異なる方向に移動して上記スイッチ部の動作部を押して接点状態を切り替えるように構成し、上記操作部材の上記所定方向に延びる軸線上の点を、上記梃子部材に当接させ、上記ヒンジを、上記操作部材の上記軸線上以外の点において上記梃子部材に固定したことを特徴としている。
【００１１】
また、請求項３に係る押ボタンスイッチは、動作部が押されたときに接点状態が切り替わるスイッチ部を有する押ボタンスイッチであって、支持部材と、第１の部分及び第２の部分を有し、上記支持部材により回動可能に支持された梃子部材と、操作面を有し、上記操作面が指で押されたときに所定方向に並進する操作部材と、一端が上記操作部材に固定され、他端が上記梃子部材の第１の部分に固定された弾性体よりなるヒンジと、上記スイッチ部が固定された基板と、上記支持部材が固定され、上記基板に嵌合する嵌合部材とを有し、上記操作部材を上記所定方向に並進させると、上記梃子部材が回動し、上記梃子部材の第２の部分が上記所定方向と異なる方向に移動して上記スイッチ部の動作部を押して接点状態を切り替えるように構成したことを特徴としている。
【００１５】
また、請求項４に係る押ボタンスイッチは、動作部が押されたときに接点状態が切り替わるスイッチ部を有する押ボタンスイッチであって、支持部材と、第１の部分及び第２の部分を有し、上記支持部材により回動可能に支持された梃子部材と、操作面を有し、上記操作面が指で押されたときに所定方向に並進する操作部材と、一端が上記操作部材に固定され、他端が上記梃子部材の第１の部分に固定された弾性体よりなるヒンジとを有し、上記操作部材を上記所定方向に並進させると、上記梃子部材が回動し、上記梃子部材の第２の部分が上記所定方向と異なる方向に移動して上記スイッチ部の動作部を押して接点状態を切り替えるように構成し、上記支持部材が、柱部と、該柱部に支持され上記梃子部材を回動可能に支持する支軸とを有することを特徴としている。
【００１６】
【発明の実施の形態】
実施の形態１
図１は、本発明の実施の形態１に係る押ボタンスイッチの構造を概略的に示す図であり、図２は、図１の押ボタンスイッチのボタン（操作面）を押した状態を示す図である。また、図３は、図２のＡ1部の拡大図であり、図４は、図２のＡ2部の拡大図である。
【００１７】
図に示されるように、実施の形態１の押ボタンスイッチは、印刷配線基板１上に固定されたスイッチ部２を有する。スイッチ部２は、接点（図示せず）を内蔵した本体２ａと、押ボタン式の動作部２ｂと有する。動作部２ｂが（図１及び図２の下方に）押されたときに、接点の状態が切り替わる。また、印刷配線基板１は、シャーシ３に、ねじ等により固定されている。
【００１８】
また、実施の形態１の押ボタンスイッチは、一端をシャーシ３に固定した支持部材４と、この支持部材４により回動可能に支持された梃子部材５とを有する。支持部材４は、プラスチック、ゴム、金属等の弾性部材からなる。支持部材４は、弾性変形しやすいように、例えば、板状の構造を持つ。梃子部材５は、プラスチック、ゴム、金属等からなり、弾性変形の生じにくい構造を持つ。支持部材４は、シャーシ３に、圧入、溶着、スナップフィット、ねじ止め、接着剤等により固定されている。一般には、支持部材４は、梃子部材５と一体に構成されている。但し、支持部材４と梃子部材５を別部材で構成し、圧入、溶着、スナップフィット、ねじ止め、接着剤等により両者を固定してもよい。また、梃子部材５の一端には、スイッチ部２の動作部２ｂを押す突起部（力点）５ａが備えられている。
【００１９】
また、実施の形態１の押ボタンスイッチは、ボタン６ａと棒部６ｂとからなる操作部材６を有する。棒部６ｂは、必ずしも棒状である必要はなく、板状であってもよい。操作部材６は、ボタン６ａがＤ1方向に押されたときに、Ｄ1方向と同じＤ2方向に並進するように、ボタン６ａの外周面が筐体８の孔８ａの内面により案内されている。但し、操作部材６の棒部６ｂをＤ2方向に案内するガイド部材（図示せず）を、筐体８の孔８ａとは別に設けてもよい。
【００２０】
また、実施の形態１の押ボタンスイッチは、ヒンジ７を有する。ヒンジ７は、その一端が操作部材６の棒部６ｂに固定され、他端が梃子部材５の端部に固定されている。ヒンジ７は、操作部材５のＤ2方向に延びる軸線ＡＸ上に配置されている。ヒンジ７は、例えば、プラスチック、ゴム、金属等の弾性部材により構成されている。ヒンジ７は、弾性変形しやすいように、操作部材６の棒部６ｂよりも薄肉又は細く形成されている。一般に、ヒンジ７は、操作部材６及び梃子部材５と同じ材料により、一体に構成されている。但し、ヒンジ７と、操作部材６及び梃子部材５とを別部材により構成し、それぞれを、圧入、溶着、スナップフィット、ねじ止め、接着剤等により固定してもよい。
【００２１】
図２に示されるように、指で操作部材６のボタン６ａをＤ1方向に押すと、操作部材６はＤ2方向に並進する。操作部材６の動作は、ヒンジ７を介して梃子部材５の一端に伝達され、梃子部材５を支持部材４を中心にしてＤ3方向に回動させる。このとき、ヒンジ７は弾性変形（湾曲）し、操作部材６、ヒンジ７、梃子部材５は、図３の実線の状態から二点鎖線の状態になる。また、支持部材４は弾性変形（湾曲）し、支持部材４と梃子部材５は、図４の実線の状態から二点鎖線の状態になる。また、図２から図４までに示される状態のときに、梃子部材５の他端に備えられた突起部５ａが、Ｄ2方向とは異なるＤ4方向に移動して、スイッチ部２の動作部２ｂを押し、スイッチ部２の接点状態を切り替える。
【００２２】
操作部材６のボタン６ａから指を離すと、梃子部材５は、支持部材４の弾性的な復元作用によって、図１の状態に戻る。同様に、操作部材６、ヒンジ７、スイッチ部２も、図１の状態に戻る。但し、別途バネを備えて、梃子部材５の位置の復元動作を補助する構造としてもよい。
【００２３】
以上述べたように、実施の形態１の押ボタンスイッチによれば、操作部材６は、回転動作ではなく、並進動作するため、棒部６ｂが長くても、操作部材に付与された力をロスなく梃子部材５に伝達できる。このため操作部材６の棒部６ｂの長さを自由に設定でき、支持部材４とスイッチ部２との距離を自由に設定できるので、ボタン操作の操作力及びストロークを最適に設定でき、押ボタンスイッチの操作性を良好にすることができる。
【００２４】
実施の形態２
図５は、本発明の実施の形態２に係る押ボタンスイッチの構造を概略的に示す図である。図５において、図１と同一又は対応する構成には同一の符号を付す。
【００２５】
実施の形態２の押ボタンスイッチは、支持部材１１の構造のみが実施の形態１の押ボタンスイッチと相違する。実施の形態２においては、支持部材１１を、柱部１１ａと、この柱部１１ａに支持され梃子部材５を回動可能に支持する支軸１１ｂとを有する。尚、実施の形態２において、上記以外の点は、上記実施の形態１と同一である。
【００２６】
実施の形態３
図６は、本発明の実施の形態３に係る押ボタンスイッチの構造を概略的に示す図である。図６において、図１と同一又は対応する構成には同一の符号を付す。
【００２７】
実施の形態３の押ボタンスイッチは、スイッチ部２が固定された基板１２と、嵌合部材１３とを有する。嵌合部材１３は、その凹部１３ａに基板１２を嵌合させることができる。また、嵌合部材１３上には、支持部材４が固定されている。また、嵌合部材１３は、シャーシ３上に固定される。
【００２８】
実施の形態３の押ボタンスイッチによれば、嵌合部材１３により、スイッチ部２と梃子部材５の垂直方向の位置関係を一定にできるので、梃子部材５の突起部５ａとスイッチ部２の動作部２ｂの間隙を一定にすることができる。尚、実施の形態３において、上記以外の点は、上記実施の形態１又は２と同一である。
【００２９】
実施の形態４
図７は、本発明の実施の形態４に係る押ボタンスイッチの構造を概略的に示す図であり、図８は、図７の押ボタンスイッチの操作面を押した状態を示す図である。また、図９は、図８のＡ3部の拡大図である。図７から図９までにおいて、図１と同一又は対応する構成には同一の符号を付す。
【００３０】
実施の形態４の押ボタンスイッチは、梃子部材１５、操作部材１６、及びヒンジ１７が、上記実施の形態１のものと相違する。図７から図９までに示されるように、実施の形態４においては、ヒンジ１７は、その一端が操作部材１６の棒部１６ｂの側面に固定され、他端が梃子部材１５の軸線ＡＸ方向に延びる部分１５ｂの端部に固定されている。ヒンジ１７は、例えば、プラスチック、ゴム、金属等の弾性部材により構成されている。ヒンジ１７は、弾性変形しやすいように、操作部材６の棒部６ｂよりも薄肉又は細く形成されている。一般に、ヒンジ１７は、操作部材１６及び梃子部材１５と同じ材料により、一体に構成されている。但し、ヒンジ１７と、操作部材１６及び梃子部材１５とを別部材により構成し、それぞれを、圧入、溶着、スナップフィット、ねじ止め、接着剤等により固定してもよい。また、操作部材１６の棒部の先端１６ｃは、梃子部材１５の端部に固定せず、梃子部材１５の端部に当接している。
【００３１】
図７から図９までに示されるように、指で操作部材１６のボタン１６ａをＤ1方向に押すと、操作部材１６はＤ2方向に並進する。操作部材１６の動作は、その先端１６ｃを介して梃子部材１５の一端に伝達され、梃子部材１５を支持部材４を中心にしてＤ3方向に回動させる。このとき、ヒンジ１７は弾性変形（湾曲）し、操作部材１６、ヒンジ１７、梃子部材１５は、図９の実線の状態から二点鎖線の状態になる。また、図２から図４までに示される状態のときに、梃子部材１５の他端に備えられた突起部１５ａが、Ｄ2方向とは異なるＤ4方向に移動して、スイッチ部２の動作部２ｂを押し、スイッチ部２の接点状態を切り替える。
【００３２】
操作部材１６のボタン１６ａから指を離すと、梃子部材１５は、支持部材４の弾性的な復元作用によって、図７の状態に戻る。同様に、操作部材１６、ヒンジ１７、スイッチ部２も、図７の状態に戻る。但し、別途バネを備えて、梃子部材１５の位置の復元動作を補助する構成としてもよい。
【００３３】
以上述べたように、実施の形態４の押ボタンスイッチによれば、操作部材１６は、回転動作ではなく、並進動作するため、棒部１６ｂが長くても、操作部材に付与された力をロスなく梃子部材１５に伝達できる。このため操作部材１６の棒部１６ｂの長さを自由に設定でき、支持部材４とスイッチ部２との距離を自由に設定できるので、ボタン操作の操作力及びストロークを最適に設定でき、押ボタンスイッチの操作性を良好にすることができる。尚、実施の形態４において、上記以外の点は、上記実施の形態１〜３のいずれかと同一である。
【００３４】
【発明の効果】
以上説明したように、請求項１から４までの押ボタンスイッチによれば、操作部材は、回転動作ではなく、並進動作するため、棒部が長くても、操作部材に付与された力をロスなく梃子部材に伝達できる。このため操作部材の棒部の長さを自由に設定でき、支持部材とスイッチ部との距離を自由に設定できるので、ボタン操作の操作力及びストロークを最適に設定でき、押ボタンスイッチの操作性を良好にすることができるという効果がある。
【００３５】
また、請求項３の押ボタンスイッチによれば、スイッチ部が固定された基板に嵌合する嵌合部材を備え、この嵌合部材上に支持部材を固定しているので、スイッチ部と梃子部材の垂直方向の位置関係を一定にでき、スイッチ部の動作を安定させることができるという効果がある。
【図面の簡単な説明】
【図１】  本発明の実施の形態１に係る押ボタンスイッチの構造を概略的に示す図である。
【図２】  実施の形態１の押ボタンスイッチの操作面を押した状態を概略的に示す図である。
【図３】  図２のＡ1部の拡大図である。
【図４】  図２のＡ2部の拡大図である。
【図５】  本発明の実施の形態２に係る押ボタンスイッチの構造を概略的に示す図である。
【図６】  本発明の実施の形態３に係る押ボタンスイッチの構造を概略的に示す図である。
【図７】  本発明の実施の形態４に係る押ボタンスイッチの構造を概略的に示す図である。
【図８】  実施の形態４の押ボタンスイッチの操作面を押した状態を示す図である。
【図９】  図８のＡ3部の拡大図である。
【図１０】  従来の押ボタンスイッチの構造を概略的に示す図である。
【符号の説明】
１，１２  印刷配線基板、  ２  スイッチ部、  ２ａ  本体、  ２ｂ  動作部、  ３  シャーシ、  ４  支持部材、  ５，１５  梃子部材、  ５ａ，１５ａ  突起部、  ６，１６  操作部材、  ６ａ，１６ａ  ボタン、  ６ｂ，１６ｂ  棒部、  ７，１７  ヒンジ、  ８  筐体、  ８ａ  孔、  １１  支持部材、  １１ａ  柱部、  １１ｂ  支軸、  １３  嵌合部材。
【図１】
0004439705.tif 000002
【図２】
0004439705.tif 000003
【図３】
0004439705.tif 000004
【図４】
0004439705.tif 000005
【図５】
0004439705.tif 000006
【図６】
0004439705.tif 000007
【図７】
0004439705.tif 000008
【図８】
0004439705.tif 000009
【図９】
0004439705.tif 000010
【図１０】
0004439705.tif 000011